(57)【要約】  固体素子照明タイル（１０）は平面を有する基板を含んでいる。複数の第１の固体素子発光デバイス（ＬＥＤ）が基板上にある。第１のＬＥＤ（１９）は直列接続されてタイルの第１端でアノード接合（２２）を有し、かつタイルの第２端でカソード接合（２４）を有する第１色の第１ストリングを形成する。また、複数の第２のＬＥＤが基板上にある。第２のＬＥＤ（２１）は、直列接続されてタイルの第１端でカソード接合（２８）を有し、かつタイルの第２端でアノード接合（２６）を有する第１色の第２ストリングを形成する。
2009516394.tif 000002
【特許請求の範囲】
【請求項１】
平面を有する基板と、
該基板上に複数設けられ、各々が直列接続されて第１色の第１ストリングを形成し、該第１ストリングは、第１端でアノード接合を有し、かつ第２端でカソード接合を有する第１の固体素子発光デバイス（ＬＥＤ）と、
前記基板上に複数設けられ、各々が直列接続されて前記第１色の第２ストリングを形成し、該第２ストリングは、前記第１端でカソード接合を有し、かつ前記第２端でアノード接合を有する第２の固体素子発光デバイス（ＬＥＤ）と、
を備えたことを特徴とする固体素子照明タイル。
【請求項２】
前記第１ストリングの前記カソード接合を前記第２ストリングの前記アノード接合に接続する折り返しコネクタを備え、前記第１ストリングと前記第２ストリングとが前記第１端上で前記アノード接合及び前記カソード接合を有する単一のストリングを形成することを特徴とする請求項１に記載の固体素子照明タイル。
【請求項３】
前記固体素子発光デバイスは、複数のクラスタに配置された複数の固体素子発光ダイオードを含むことを特徴とする請求項１に記載の固体素子照明タイル。
【請求項４】
前記クラスタの各々は、少なくとも２つの色のうち各々が異なる色を発光する複数の固体素子発光ダイオードを含むことを特徴とする請求項３に記載の固体素子照明タイル。
【請求項５】
前記クラスタの各々は、基板と、該基板上に設置された複数のＬＥＤとを含むことを特徴とする請求項３に記載の固体素子照明タイル。
【請求項６】
前記クラスタの各々は、前記基板上の各トレース上に設置された複数のＬＥＤと、該複数のＬＥＤ上のカプセル化材料とを含むことを特徴とする請求項３に記載の固体素子照明タイル。
【請求項７】
前記基板は、ＦＲ−４プリント化回路ボード（ＰＣＢ）及び／又は金属コアＰＣＢを含むことを特徴とする請求項１に記載の固体素子照明タイル。
【請求項８】
平面と第１端及び該第１端とは反対側の第２端を有する基板と、
該基板上で直列接続された複数の固体素子発光デバイス（ＬＥＤ）の各々からなり、前記第１端でアノード接合及び前記第２端でカソード接合を各々が有する複数の第１ストリングと、
前記基板上で直列接続された複数の固体素子発光デバイス（ＬＥＤ）の各々からなり、前記第２端でアノード接合及び前記第１端でカソード接合を各々が有する複数の第２ストリングと、
を備えたことを特徴とする固体素子照明タイル。
【請求項９】
前記第１ストリングの少なくとも１つ及び前記第２ストリングの少なくとも１つは、１対の隣接する前記ＬＥＤ間に複数の電気的テストパッドを含むことを特徴とする請求項８に記載の固体素子照明タイル。
【請求項１０】
前記複数の第１ストリング及び前記複数の第２ストリングの各々は、活性時に第１波長を有する光を放出するように構成された前記複数のＬＥＤからなる第１色ストリングと、活性時に第２波長を有する光を放出する前記複数のＬＥＤからなる第２色ストリングとを少なくとも含むことを特徴とする請求項８に記載の固体素子照明タイル。
【発明の詳細な説明】
【技術分野】
【０００１】
本発明は、固体素子照明タイルに関し、より詳細には、固体素子照明ユニットのための部品に関する。
【０００２】
本出願は、「ＬＥＤバックライティングモジュールの相互接続及びインテグレーションのためのシステム及び方法」と題する２００５年１１月１８日付け米国特許仮出願第６０／７３８，３０５号と、「固体素子バックライティングユニットアセンブリ及び方法」と題する２００５年１２月９日付け米国特許仮出願第６０／７４９，１３３号とに係る優先権を主張し、これらの開示は参照によりその内容が本願明細書に組み入れられている。
【背景技術】
【０００３】
固体素子照明パネルは、ディスプレイのための固体素子バックライトユニット、通常の照明のための照明パネル、看板のためのバックライト、及び／又は他の目的のために用いられ得る。ＬＣＤのための固体素子バックライトユニットは、通常、ＬＣＤスクリーンの背後に配置された複数の分離光源の２次元アレイを含んでいる。この分離光源は、フルカラーＬＣＤの如きＬＣＤディスプレイを照明するのに用いられ得る白色又は近白色のカラーを有する光を発生する。ＬＣＤディスプレイが、そのスクリーン上で均一な色及び／又は強度を有する画像を表示するために、バックライトユニットは、ＬＣＤへの光を色及び強度の両方の点で空間的に均一な光を提供することが望ましい。しかし、このような要望は、バックライトユニットにおいて複数の分離光源が互いに隔設されることから困難である。特に、熱拡散を低減する及び／又はディスプレイの効率を高める如き目的で、固体素子光源の輝度が増大するにつれて光源間ピッチが益々大きくなるように複数光源を配置することが望まれている。
【発明の開示】
【発明が解決しようとする課題】
【０００４】
固体素子発光デバイスのアレイを含む固体素子照明ユニットが通常照明のために用いられる場合にも、色不均一性、効率性及び／又は熱拡散に関して同様の問題が発生する。
【０００５】
本発明は、このような問題に鑑みてなされたもので、その目的とするところは、固体素子照明ユニットのための部品としての固体素子照明タイルを提供することにある。
【課題を解決するための手段】
【０００６】
本発明の実施例による固体素子照明タイルは、平面を有する基板を含んでいる。複数の第１の固体素子発光デバイス（ＬＥＤ）が基板上にある。この第１のＬＥＤは直列接続されて、タイルの第１端でアノード接合を有し、かつタイルの第２端でカソード接合を有する第１色の第１ストリングを形成している。また、複数の第２のＬＥＤが基板上にある。この第２のＬＥＤは、直列接続されて、タイルの第１端でカソード接合を有し、かつタイルの第２端でアノード接合を有する第１色の第２ストリングを形成している。
【０００７】
固体素子照明タイルは、第１ストリングのカソード接合を第２ストリングのアノード接合に接続する折り返しコネクタを更に含むことによって、第１ストリング及び第２ストリングが、タイルの第１端上でアノード接合及びカソード接合を有する単一ストリングを形成してもよい。
【０００８】
ＬＥＤは、複数のクラスタ状に配置された固体素子発光ダイオードを含んでもよい。クラスタの各々は、少なくとも２つの色のうち各々が異なる色を発光する複数の固体素子発光ダイオードを含んでもよい。このクラスタの各々は、基板とこの基板上に設置された複数のＬＥＤとを含んでもよい。ある実施例において、クラスタの各々は、基板上の各トレース上に設置された複数のＬＥＤと、この複数のＬＥＤ上のカプセル化材料とを含んでもよい。基板は、ＦＲ−４プリント化回路ボード（ＰＣＢ）及び／又は金属コアＰＣＢを含んでもよい。
【０００９】
固体素子照明タイルは、更に、直列接続された複数のＬＥＤから各々がなり、かつタイルの第１端におけるアノード接合及びタイルの第１端とは反対側の第２端でカソード接合を各々が有する複数の第１ストリングと、直列接続された複数のＬＥＤから各々がなり、かつタイルの第２端でアノード接合及びタイルの第１端でカソード接合を各々が有する複数の第２ストリングとを含んでもよい。第１ストリングの少なくとも１つと第２ストリングの少なくとも１つとは、１対の隣接するＬＥＤ間に電気的テストパッドを含んでもよい。
【００１０】
複数の第１ストリング及び複数の第２ストリングの各複数は、活性時に第１波長を有する光を放出するように構成されたＬＥＤの第１色ストリングと、活性時に第２波長を有する光を放出するように構成されたＬＥＤの第２色ストリングとを少なくとも含んでもよい。
【００１１】
タイルは、縦中心軸を有してもよく、複数の第１ストリング及び複数の第２ストリングは、縦中心軸に略平行に延びてもよい。複数の第１ストリングの第１色ストリングのアノード及びカソード接合と複数の第２ストリングの第１色ストリングのアノード及びカソード接合とは、複数の第１ストリングの第２色ストリングのアノード及びカソード接合と複数の第２ストリングの第２色ストリングのアノード及びカソード接合とよりも、タイルの縦中心軸により近くに配置されてもよい。
【発明を実施するための最良の形態】
【００１２】
添付の図面は、本発明の更なる理解を提供するように備えられ、かつ本願に組み入れられてその一部を構成し、本発明の特定の実施例を示している。
【００１３】
本発明の実施形態が添付の図面を参照してより詳細に以下説明される。本発明は、しかし、多くの異なる形式において実施されてもよく、本願明細書において記載される実施例に限るように解釈されるべきではない。むしろ、これらの実施例は本開示を徹底かつ完遂し、当業者に本発明の範囲を完全に伝達するように提供される。同様の符号は全体を通して同様の要素を示している。
【００１４】
第１、第２等の用語が本願明細書において多様な要素に対して用いられるが、これらの要素はかかる用語によって制限されるべきではない。かかる用語は単に１つの要素を他の要素と区別するために用いられる。例えば、第１の要素は本発明の範囲から逸脱することなく第２の要素と称されてもよく、第２の要素は同様に第１の要素と称されてもよい。本願明細書で使用されるように、用語「及び／又は」は、関連する列挙項目の１つ以上の何れか又は全ての組合せを含んでいる。
【００１５】
本願明細書において用いられる用語例は特定の実施例だけを説明する目的のためのものであって、本発明を制限することを目的としない。本願明細書で使用されるように、単数は「ａ」、「ａｎ」の形をとり、「ｔｈｅ」は文脈が他の形を示さない限り複数の形を含むものと意図される。本願明細書にて用いられる用語「成る」、「含む」及び／又は「含んでいる」は、記述された特徴、整数、ステップ、動作、要素及び／又は部品の存在を指定するが、他の特徴、整数、ステップ、動作、要素、部品及び／又はこれらの集まりの存在又は追加を排除するものではない。
【００１６】
特に定義されない限り、本願明細書において用いられる全ての用語（技術的及び科学的用語を含む）は本発明が属する技術分野の当業者によって共通に理解されるものと同じ意味を有する。本願明細書において用いられる用語は、本願明細書及び関連技術の文脈におけるそれらの意味と整合する意味を有するように解釈されるべきであり、理想化あるいは過剰に形式化した意味において解釈されるべきではない。
【００１７】
例えば、レイヤ、領域又は基板の如き要素が他の要素「上」にある若しくは他の要素「上へ」伸張するものとして参照されるとき、かかる要素は他の要素上に直接あるか若しくは直接伸張し得るものである一方で、介在要素が別に存在し得る。対照的に、ある要素が他の要素上に直接あるか若しくは直接伸張するものとして参照されるとき、何ら介在要素が別に存在することはない。また、ある要素が他の要素に「接続される」若しくは「結合される」ものとして参照されるとき、かかる要素は他の要素に直接に接続されるか若しくは直接に結合され得るものである一方で、介在要素が別に存在し得る。対照的に、ある要素は他の要素に「直接に接続される」若しくは「直接に結合される」ものとして参照されるとき、何ら介在要素が別存在することはない。
【００１８】
「下方に」若しくは「上方に」、「上部の」若しくは「下部の」又は「水平な」若しくは「垂直な」の如き対比用語は、本願明細書の図に示される如く１つの要素、レイヤ若しくは領域と他の要素、レイヤ若しくは領域との関係を説明するために用いられる。これらの用語は図に表される配向に加えて当該装置の異なる配向を包含することが意図されている。
【００１９】
図１は、本発明の実施例に係る固体素子照明ユニットのためのタイルの平面図である。固体素子照明ユニットに用いるための固体素子照明タイル（ｓｏｌｉｄ  ｓｔａｔｅ  ｌｉｇｈｔｉｎｇ  ｔｉｌｅ）１０が、その上で規則的及び／又は不規則な２次元配列にて配置された幾つかの固体素子照明エレメントクラスタ１２を含んでもよい。固体素子照明タイル１０は、例えば、１つ以上の回路要素が設置されるプリント化回路基板（ＰＣＢ）を含んでもよい。特に、固体素子照明タイル１０は、金属コアＰＣＢ（ＭＣＰＣＢ）を含んでもよく、これは、自身の上にパターン化された金属トレース１３が形成され得る重合体コーティングを自身の上に有する金属コアを含んでいる。ＭＣＰＣＢ材料並びにこれに類似の材料は商業的に入手可能であって、例えば、バーグクイスト（Ｂｅｒｇｑｕｉｓｔ）社から入手可能である。ＰＣＢは、重いクラッド（ｃｌａｄ）（４オンス以上の銅）及び／又はサーマルビア（ｖｉａ）を備えた在来のＦＲ−４・ＰＣＢ材料を更に含んでもよい。ＭＣＰＣＢ材料は在来のＰＣＢ材料に比して向上した熱性能を提供し得る。しかし、ＭＣＰＣＢ材料は、金属コアを含むことのない在来のＰＣＢ材料より重い場合がある。
【００２０】
図１に例示される実施例において、照明エレメントクラスタ１２は、クラスタ当たり３つの固体素子発光デバイス（以下、ＬＥＤという）からなるマルチチップクラスタである。固体素子照明タイル１０において、４つの照明エレメントクラスタ１２が第１経路１９に直列状に配置される一方、４つの照明エレメントクラスタ１２が第２経路２１に直列状に配置される。第１経路１９の照明エレメントクラスタ１２は、例えば、電気的トレース１３を介して、固体素子照明タイル１０の第１端１０Ａに配置された３つのアノード接合２２からなる１組に接続され、固体素子照明タイル１０の第２端１０Ｂに配置された３つのカソード接合２４からなる１組に接続されている。第２経路２１の照明エレメントクラスタ１２は、固体素子照明タイル１０の第２端１０Ｂに配置された３つのアノード接合２６からなる１組に接続され、固体素子照明タイル１０の第１端１０Ａに配置された３つのカソード接合２８からなる１組に接続されている。固体素子照明タイル１０は、複数の照明エレメントクラスタ１２間に電気的テストパッド１５を更に含んでもよい。電気的テストパッド１５は、照明エレメントクラスタ１２の発光デバイスの個々のテストを可能とするように構成される。
【００２１】
アライメント切欠き２９が固体素子照明タイル１０に備えられ、エッジコネクタ（図示せず）の接続を助けると共に更にエッジコネクタの不正取り付けを防いでもよい。更に、切欠き７２が固体素子照明タイル１０の角に備えられ、固体素子照明タイル１０とこの固体素子照明タイル１０が設置される支持部材（図示せず）のネジとの間の接合を避けるようにしてもよい。固体素子照明タイル１０は、自動化製造工程の間に固体素子照明タイル１０を移動するのに用いられ得る１つ以上の自動化指標孔（図示せず）を更に含んでもよい。
【００２２】
固体素子照明エレメントクラスタ１２は、例えば、有機的及び／又は非有機的発光デバイスを含んでもよい。高パワーの照明応用のための固体素子照明エレメントクラスタ１２の例が図２に例示される。この固体素子照明エレメントクラスタ１２は、パッケージ化された別個の電子コンポーネントを含んでもよく、これは複数のＬＥＤチップ１６が自身の上に設置されたキャリア基板１１を含んでもよい。他の実施例において、１つ以上の固体素子照明エレメントクラスタ１２は、固体素子照明タイル１０の表面上の電気的トレース上に直接設置されたＬＥＤチップ１６を含むことによって、マルチチップモジュール又はチップオンボード・アセンブリを形成してもよい。
【００２３】
ＬＥＤチップ１６は、少なくとも赤色ＬＥＤ１６Ｒと緑色ＬＥＤ１６Ｇ及び青色ＬＥＤ１６Ｂを含んでもよい。青色及び／又は緑色ＬＥＤは、本発明の譲受人であるクリー（Cree）社から入手可能なＩｎＧａＮベースの青色及び／又は緑色ＬＥＤチップを含んでもよい。赤色ＬＥＤは、例えば、エピスター（Ｅｐｉｓｔａｒ）社、オスラム（Ｏｓｒａｍ）社等から入手可能なＡＩＩｎＧａＰ・ＬＥＤチップであってもよい。発光デバイス１２は、緑色光をより得るために追加の緑色ＬＥＤを含んでもよい。
【００２４】
ある実施例において、ＬＥＤチップ１６は、約９００μｍ以上（所謂「パワーチップ」）のエッジ長を有する正方形若しくは矩形の周辺を有してもよいが、他の実施例において、ＬＥＤチップ１６は、約５００μｍ以下（所謂「スモールチップ」）のエッジ長を有してもよい。特に、スモールＬＥＤチップは、パワーチップよりも良好な電気変換効率で作動し得る。例えば、最大エッジ寸法５００ミクロン以下の緑色ＬＥＤチップや２６０ミクロン程度に小さい緑色ＬＥＤチップは、共に９００ミクロンチップより高い電気変換効率を有し、消失電力１ワット当たり光束として５５ルーメンを通常発生し、消失電力１ワット当たり光束として９０ルーメン程度にまで発生することが知られている。
【００２５】
図２は、本発明の実施例に係る固体素子照明ユニットのための固体素子光源の平面図である。ＬＥＤチップ１６は、カプセル化ドーム１４によって被覆されてもよく、これは透明かつ／又は光散乱粒子、蛍光体及び／又は他のエレメントを含むことによって所望の発光パターン、色及び／又は強度を達成してもよい。カプセル化ドーム１４は、修整可能なエポキシ樹脂を含んでもよく、ＬＥＤチップ１６のために機械的及び／又は環境上の保護を提供してもよい。図２に例示されていないものの、照明エレメントクラスタ１２は、ＬＥＤチップ１６を囲む反射体カップ、ＬＥＤチップ１６上方に設置されるレンズ、照明デバイスから熱除去を行う１つ以上のヒートシンク、静電放電保護チップ、及び／又は他のエレメントを更に含んでもよい。
【００２６】
図３は、本発明の実施例に係るタイル上の光源の電気的相互接続を示す回路図である。固体素子照明タイル１０における照明エレメントクラスタ１２のＬＥＤチップ１６は、図３の略回路図に示されるように電気的に相互接続される。ここで示されるように、第１経路１９における青色ＬＥＤ１６Ｂが直列接続されてストリング３０Ｂを形成するようにＬＥＤチップ１６が相互接続されてもよい。同様に、第１経路１９の緑色ＬＥＤ１６Ｇが直列配置されてストリング３０Ｇを形成してもよい。赤色ＬＥＤ１６Ｒが直列配置されてストリング３０Ｒを形成してもよい。各ストリング３０Ｒ，３０Ｇ，３０Ｂは、固体素子照明タイル１０の第１端に配置されたアノード接合２２Ｒ，２２Ｇ，２２Ｂに各々対応して接続され、固体素子照明タイル１０の第２端に配置された各カソード接合２４に各々対応して接続されてもよい。
【００２７】
ストリング３０Ｒ，３０Ｇ，３０Ｂは、第１経路１９における対応するＬＥＤのうち全て又はそれ未満の数のＬＥＤを含んでもよい。例えば、ストリング３０Ｂは、第１経路１９における照明エレメントクラスタ１２の全てから青色ＬＥＤ１６Ｂの全てを含んでもよい。変形例として、ストリング３０Ｒ，３０Ｇ，３０Ｂは、第１経路１９における対応するＬＥＤのサブセットだけを含んでもよい。従って、第１経路１９は、固体素子照明タイル１０上で平行に配置された３つのストリング３０Ｒ，３０Ｇ，３０Ｂを含んでもよい。
【００２８】
固体素子照明タイル１０上の第２経路２１は、平行に配置された３つのストリング３１Ｒ，３１Ｇ，３１Ｂを含んでもよい。このストリング３１Ｒ，３１Ｇ，３１Ｂは、固体素子照明タイル１０の第２端に配置されたアノード接合２６Ｒ，２６Ｇ，２６Ｂに各々対応して接続され、固体素子照明タイル１０の第１端に配置されたカソード接合２８Ｒ，２８Ｇ，２８Ｂに各々対応して接続されている。
【００２９】
ストリング３０Ｒ，３０Ｇ，３０Ｂの第１グループは、固体素子照明タイル１０の第１端１０Ａに略隣接するアノード接合２２Ｒ，２２Ｇ，２２Ｂを有すると共に、固体素子照明タイル１０の第２端１０Ｂに略隣接するカソード接合２４Ｒ，２４Ｇ，２４Ｂを有する。ストリング３１Ｒ，３１Ｇ，３１Ｂの第２グループは、固体素子照明タイル１０の第２端１０Ｂに略隣接するアノード接合２６Ｒ，２６Ｇ，２６Ｂを有すると共に、固体素子照明タイル１０の第１端１０Ａに略隣接するカソード接合２８Ｒ，２８Ｇ，２８Ｂを有する。
【００３０】
図１及び図３に示されるように、固体素子照明タイル１０は縦中心軸１７を有してもよく、ストリング３０Ｒ，３０Ｇ，３０Ｂの第１グループとストリング３１Ｒ，３１Ｇ，３１Ｂの第２グループとは、縦中心軸１７に対して略平行に延びてもよい。
【００３１】
第１グループのストリングの第１色ストリングのアノード及びカソード接合と、第２グループのストリングの第１色ストリングのアノード及びカソード接合とは、第１及び第２グループのストリングの第２色及び／又は第３色ストリングのアノード及びカソード接合よりも、固体素子照明タイル１０の縦中心軸１７により近くに配置されてもよい。例えば、青色ストリング３０Ｂ，３１Ｂのアノード及びカソード接合２２Ｂ，２４Ｂ，２６Ｂ，２８Ｂは、緑色ストリング３０Ｇ，３１Ｇのアノード及びカソード接合２２Ｇ，２４Ｇ，２６Ｇ，２８Ｇよりも縦中心軸１７により近く配置されてもよい。同様に、緑色ストリング３０Ｇ，３１Ｇのアノード及びカソード接合２２Ｇ、２４Ｇ、２６Ｇ、２８Ｇは、赤色ストリング３０Ｒ，３１Ｒのアノード及びカソード接合２２Ｒ，２４Ｒ，２６Ｒ，２８Ｒよりも縦中心軸１７により近く配置されてもよい。
【００３２】
第１グループのストリングの第１色ストリングのカソード接合と第２のグループのストリングの第１色ストリングのアノード接合とは、第１グループのストリングの第２色ストリングのカソード接合と第２のグループのストリングの第２色ストリングのアノード接合とから、固体素子照明タイル１０の縦中心軸１７に平行した方向にオフセットされてもよい。特に、第１グループのストリングの第１色ストリングのカソード接合と第２グループのストリングの第１色ストリングのアノード接合とは、第１グループのストリングの第２色ストリングのカソード接合と第２グループのストリングの第２色ストリングのアノード接合とよりも、固体素子照明タイル１０の端１０Ａ，１０Ｂからより遠くてもよい。
【００３３】
例えば、図３に示されるように、青色ストリング３０Ｂのカソード接合２４Ｂと青色ストリング３１Ｂのアノード接合２６Ｂとは、緑色ストリング３０Ｇのカソード接合２４Ｇと緑色ストリング３１Ｇのアノード接合２６Ｇとよりも、固体素子照明タイル１０の端１０Ｂからより遠くに配置されていてもよい。固体素子照明タイル１０の端１０Ｂからそれら接合を交互交替的にずらすことが各ストリングの接合接続を実現し、例えば、配線ループを用いた折り返しコネクタを形成してもよい。
【００３４】
図１乃至図３に示される実施例では、クラスタ１２当たり３つのＬＥＤチップ１６を含み、クラスタ１２は、経路１９，２１当たりＬＥＤチップ１６が少なくとも３つのストリングを形成するように電気的に接続されている一方で、３つより大きい及び／又は少ない数のＬＥＤチップ１６が照明デバイス１２当たりに提供され、３つより大きい及び／又は少ない数のＬＥＤストリングが、固体素子照明タイル１０上で経路１９，２１当たりに提供されてもよいことが理解される。例えば、クラスタ１２は、２つの緑色ＬＥＤ１６Ｇを含んでもよく、この場合、それらＬＥＤが経路１９，２１当たり４つのストリングを形成するように接続されてもよい。同様に、他の実施例では、クラスタ１２当たり２つの緑色ＬＥＤ、すなわち、クラスタ１２に２つの緑色ＬＥＤが互いに直列に接続されてもよく、この場合、経路１９，２１当たり単一のストリングの緑色ＬＥＤがあるだけでもよい。更に、固体素子照明タイル１０は、複数の経路１９，２１の代わりに単一の経路１９だけを含んでもよいし、及び／又は２つ以上の経路１９，２１が単一の固体素子照明タイル１０に備えられてもよい。
【００３５】
図４は、本発明の実施例に係る折り返しコネクタを含むタイルの平面図である。図１、図３及び図４を参照すると、固体素子照明タイル１０の第１経路１９のカソード接合２４は、固体素子照明タイル１０の第２経路２１のアノード接合２６に、折り返しコネクタ３５によって電気的に接続されていてもよい。例えば、折り返しコネクタ３５は、固体素子照明タイル１０の第１経路１９の赤色ＬＥＤ１６Ｒのストリング３０Ｒのカソード２４Ｒを、固体素子照明タイル１０の第２経路２１の赤色ＬＥＤ１６Ｒのストリング３１Ｒのアノード２６Ｒに電気的に接続してもよい。この様にして、第１経路１９のストリング３０Ｒは、第２経路２１のストリング３１Ｒに折り返しコネクタ３５の導体３５Ｒによって直列接続されて、赤色ＬＥＤ１６Ｒの単一ストリングを形成してもよい。固体素子照明タイル１０の経路１９，２１の他のストリングが同様にして接続されてもよい。
【００３６】
折り返しコネクタ３５は、エッジコネクタ，フレキシブル配線ボード，又は他の何らかの適切なコネクタも含んでもよい。加えて、折り返しコネクタは、固体素子照明タイル１０上若しくは内に形成されたプリント化トレース及び／又は配線ループを含んでもよい。
【００３７】
本図面及び明細書において、本発明の典型的な実施形態が開示され、特定の用語が使用されたがそれらが一般的かつ記述的な意味でのみ用いられ制限する意図で用いられてものではなく、本発明の技術的範囲は特許請求の範囲に記載されている。
【図面の簡単な説明】
【００３８】
【図１】本発明の実施例に係る固体素子照明ユニットのためのタイルの平面図である。
【図２】本発明の実施例に係る固体素子照明ユニットのための固体素子光源の平面図である。
【図３】本発明の実施例に係るタイル上の光源の電気的相互接続を示す回路図である。
【図４】本発明の実施例に係る折り返しコネクタを含むタイルの平面図である。
【図１】
2009516394.tif 000003
【図２】
2009516394.tif 000004
【図３】
2009516394.tif 000005
【図４】
2009516394.tif 000006
【国際調査報告】
2009516394.tif 000007
2009516394.tif 000008
2009516394.tif 000009